(57)【要約】【解決手段】底部１と底部にヒンジ連結された長側壁２と同じく底部にヒンジ連結された短側壁３とを有するとともに、長側壁及び短側壁を、底部に重なるように倒すことにより折り畳むことが可能な折り畳みコンテナーにおいて、相対する長側壁を架橋する剛性のある支持部材Ｓを配設したものである。【効果】相対する長側壁間に架橋され相対する長側壁を連結する、剛性のある支持部材を配設したので、長側壁の剛性が向上し、箱型に組み立てられた折り畳みコンテナーの長側壁に、外側から負荷が加わっても、長側壁が内側に湾曲するようなことを抑制することができる。【選択図】図１
2004359271.tif 000002
【特許請求の範囲】
【請求項１】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、相対する長側壁を架橋する剛性のある支持部材が配設されていることを特徴とする折り畳みコンテナー。
【請求項２】
支持部材が枢支されている長側壁に、前記支持部材が収容可能な収容凹部が形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られている。
【０００３】
【発明が解決しようとする課題】
上述した従来の折り畳みコンテナーにおいては、長側壁が、強度や剛性の点から弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００４】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ、相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、長側壁が内側に大きく湾曲することになり、従って、折り畳みコンテナーに収納されている物品が損傷したり、長側壁が損傷するという問題があった。
【０００５】
本発明の目的は、上述した従来の折り畳みコンテナーが有する課題を解決することにある。
【０００６】
【課題を解決するための手段】
本発明は、上述した目的を達成するために、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、第１には、相対する長側壁を架橋する剛性のある支持部材を配設したものであり、第２には、支持部材が枢支されている長側壁に、支持部材が収容可能な収容凹部を形成したものである。
【０００７】
【実施例】
以下に、本発明の実施例について説明するが、本発明の趣旨を越えない限り何ら、本実施例に限定されるものでない。
【０００８】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１及び図２に示されている箱型に組み立てられた状態から、先ず最初に、短側壁３を、図３に示されているように、底部１に重なるように倒し、次いで、長側壁２を、底部１に重ねられた短側壁３に重なるように倒すことにより、図４に示されているように、折り畳みコンテナーを、高さの低いコンパクトに折り畳むことができるように構成されている。また、図４に示されている状態から、長側壁２を、略垂直に立て、次いで、短側壁３を略垂直に立てることにより、図１及び図２に示されているように、折り畳まれていた折り畳みコンテナーを、箱型に組み立てることができるように構成されている。
【０００９】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１０】
長側壁２の板状部２ａの上部両端角部付近には、それぞれ、コの字状のスリット２ｃが形成されており、コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内壁面側の面と略平行な垂直面に形成されている。
【００１１】
長側壁２の板状部２ａの上端には、板状部２ａに略垂直で、且つ、所定の間隔を置いて位置する一対の水平リブ（上方に位置する水平リブを上端水平リブと称し、符号２ｅ１を付し、また、下方に位置する水平リブを下方水平リブと称し、符号２ｅ２を付す。）２ｅ１、２ｅ２が形成されている。また、相対する長側壁２のうち、一方の長側壁２の上端水平リブ２ｅ１と下方水平リブ２ｅ２との間で、且つ、中央部に位置する板状部２ａを外側に膨出させることにより、凹部として形成された嵌合部４が形成されており、嵌合部４としての凹部を形成する底部には、孔や窪みとして形成されたフック嵌合部４ａ（実施例において、孔として形成されている。）が形成されている。また、相対する長側壁２のうち、もう一方の長側壁２の上端水平リブ２ｅ１と下方水平リブ２ｅ２との間で、且つ、中央部から係合枠２ｂ付近まで延在する板状部２ａを外側に膨出させることにより、上記の嵌合部４より幅広の収容凹部５が形成されている。なお、板状部２ａの下端縁には、板状部２ａに略垂直で、且つ、外側に延在する下端水平リブ２ｆが形成されており、更に、板状部２ａの外面（折り畳みコンテナーを箱型に組み立てた際に、外側に位置する面）には、適当数の垂直リブ２ｇや水平リブ２ｈが形成されている。
【００１２】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）には、適当数の垂直リブ３ｆや水平リブ３ｇが形成されている。
【００１３】
折り畳みコンテナーを、図４に示されている折り畳まれた状態から、図１及び図２に示されている箱型に組み立てるには、先ず最初に、略水平状態の長側壁２を、垂直方向に回動させて、図３に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内面から突出している係止弾性片２ｄの係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅの端部垂直面から、長側壁２に形成された係止弾性片２ｄの係止突部２ｄ１が外れて、係止弾性片２ｄが、その弾性により元の位置に戻り、係止弾性片２ｄの係止突部２ｄ１が、短側壁３の延長枠３ｅに当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００１４】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００１５】
Ｓは、剛性のある型材や棒材として形成された支持部材であり、支持部材Ｓの一方の端部は、上述したように、もう一方の長側壁２に形成された収容凹部５の長側壁２の中央部側に位置する端部に挿入されているとともに、上端水平リブ２ｅ１と下方水平リブ２ｅ２及び支持部材Ｓとに垂直ピン６を貫通することにより、枢支されている。また、支持部材Ｓは、上述したように、一方の長側壁２に、凹部として形成された嵌合部４に挿入可能なように構成されている。なお、支持部材Ｓのもう一方の端部（自由端部）の下面に凹部ｓ１を形成することにより、下方に延在するフックｓ２が形成されている。
【００１６】
支持部材Ｓを、垂直ピン６を軸に、支持部材Ｓが枢支されている長側壁２方向に回動させることにより、支持部材Ｓが、内側（折り畳みコンテナーが箱型に組み立てられた際に、内側に位置する。）が開口された収容凹部５に収容可能なように構成されている。このように、支持部材Ｓが、収容凹部５に収容可能に構成されているので、箱型に組み立てられた折り畳みコンテナーの折り畳みの際に、支持部材Ｓが障害になるようなことがないし、また、箱型に組み立てられた折り畳みコンテナーへの物品の収納或いは箱型に組み立てられた折り畳みコンテナーからの物品の取り出しの際に、支持部材Ｓが物品の出し入れ作業の邪魔になるようなことがない。
【００１７】
支持部材Ｓが、相対する長側壁２の一方の長側壁２に形成された収容凹部５に収容された状態で折り畳まれている折り畳みコンテナーを、図１及び図２に示されているように、箱型に組み立てた後、支持部材Ｓを、垂直ピン６を軸に回動させて、支持部材Ｓのフックｓ２が形成されている自由端部を、もう一方の長側壁２方向に移動させ、支持部材Ｓの自由端部を、凹部として形成された嵌合部４に挿入するとともに、支持部材Ｓのフックｓ２を、嵌合部４に形成されたフック嵌合部４ａに挿入し、支持部材Ｓを、相対する長側壁２間に架橋し、相対する長側壁２を連結する。
【００１８】
上述したように、相対する長側壁２間を、剛性のある型材や棒材としての支持部材Ｓにより架橋し、相対する長側壁２を連結することにより、箱型に組み立てられた折り畳みコンテナーの長側壁２に、外側から内側方向に負荷が加わっても、長側壁２が内側に湾曲するようなことを抑制することができる。従って、相対する長側壁２の適当な個所に形成されている把持部（例えば、長側壁２の上端水平リブ２ｅ付近に位置する板状部２ａに形成された開口部として構成されている。）や上端水平リブ２ｅ１を持って、箱型に組み立てられた折り畳みコンテナーを運搬する際に、長側壁２が内側に大きく湾曲するようなことはなく、折り畳みコンテナーに収納されている物品が損傷したり、長側壁２が損傷するようなことを防止することができる。
【００１９】
なお、上述した実施例においては、支持部材Ｓの自由端部を、凹部として形成された嵌合部４に挿入するとともに、支持部材Ｓのフックｓ２を、嵌合部４に形成されたフック嵌合部４ａに挿入し、支持部材Ｓを、相対する長側壁２間に架橋し、且つ、相対する長側壁２を連結するように構成した例が示されているおり、相対する長側壁２に、外側から内側方向に負荷が加わっても、長側壁２が内側に湾曲するようなことを抑制することができるとともに、相対する長側壁２に、内側から外側方向に負荷が加わった場合（箱型に組み立てられた折り畳みコンテナーに収納された物品により、相対する長側壁２に負荷が加わるような場合）にも、長側壁２が外側に膨出するようなことを抑制することができるように構成されている。なお、長側壁２が内側に湾曲するようなことのみを抑制する場合には、支持部材Ｓからフックｓ２を省略するとともに、嵌合部４に形成されたフック嵌合部４ａに省略し、単に、凹部として形成された嵌合部４に、支持部材Ｓの自由端部を挿入するように構成し、支持部材Ｓを、所謂、突っ張り部材としての機能のみを果たすように構成することもできる。
【００２０】
【発明の効果】
本発明は、以上説明した構成を有しているので、以下に記載する効果を奏するものである。
【００２１】
相対する長側壁間に架橋され相対する長側壁を連結する、剛性のある支持部材を配設したので、長側壁の剛性が向上し、箱型に組み立てられた折り畳みコンテナーの長側壁に、外側から負荷が加わっても、長側壁が内側に湾曲するようなことを抑制することができる。
【００２２】
支持部材が枢支されている長側壁に、支持部材が収容可能な収容凹部を形成したので、箱型に組み立てられた折り畳みコンテナーの折り畳みの際に、支持部材が障害になるようなことがないし、また、箱型に組み立てられた折り畳みコンテナーへの物品の収納或いは箱型に組み立てられた折り畳みコンテナーからの物品の取り出しの際に、支持部材が物品の出し入れ作業の邪魔になるようなことがない。
【図面の簡単な説明】
【図１】図１は本発明の折り畳みコンテナーが箱型に組み立てられた状態の斜視図である。
【図２】図２は同じく本発明の折り畳みコンテナーが箱型に組み立てられた状態の斜視図である。
【図３】図３は本発明の折り畳みコンテナーの組み立て途中或いは折り畳み途中の斜視図である。
【図４】図４は本発明の折り畳みコンテナーの折り畳まれた状態の斜視図である。
【図５】図５は本発明の折り畳みコンテナーの相対する長側壁間に架橋され支持部材等の斜視図である。
【符号の説明】
Ｓ・・・・・・・・・・・・・・・・・・・・支持部材
１・・・・・・・・・・・・・・・・・・・・底部
２・・・・・・・・・・・・・・・・・・・・長側壁
３・・・・・・・・・・・・・・・・・・・・短側壁
４・・・・・・・・・・・・・・・・・・・・嵌合部
４ａ・・・・・・・・・・・・・・・・・・・フック嵌合部
５・・・・・・・・・・・・・・・・・・・・収容凹部
【図１】
2004359271.tif 000003
【図２】
2004359271.tif 000004
【図３】
2004359271.tif 000005
【図４】
2004359271.tif 000006
【図５】
2004359271.tif 000007